(57)【要約】  【課題】  比較的長距離の移動や旅行等の際に、別につまみ類を購入することなくビールと一緒にセットで提供できるようにする。  【解決手段】  ポリエチレンテレフタレート製の補助容器２１内につまみ２０を充填し、補助容器２１のフランジ２２の外周側の周壁部２７の係合用リブ２８をビールが入っているビール缶１０の巻締め部１３の外周部に係合させて結合し、缶ビールとつまみとをセットで提供する。【選択図】  図３
0003102518.tif 000002
【実用新案登録請求の範囲】
【請求項１】
主容器内に液体飲料を注入または充填するとともに、固形の食物を補助容器内に充填し、
前記補助容器に設けられた係合部を前記主容器の上部であって肩部または開口縁部に係合させて組合わせるようにしたことを特徴とする飲料セット。
【請求項２】
缶容器内にビールを充填するとともに、つまみ類をカップ状の補助容器内に充填し、前記補助容器の開口のフランジの係合部を前記缶容器の巻締めリブに係合させて組合わせたことを特徴とする飲料セット。
【請求項３】
缶容器内にチューハイを充填するとともに、つまみ類をカップ状の補助容器内に充填し、前記補助容器の開口のフランジの係合部を前記缶容器の巻締めリブに係合させて組合わせたことを特徴とする飲料セット。
【請求項４】
広口のガラス容器内にアルコール飲料を充填するとともに、つまみ類をカップ状の補助容器内に充填し、前記補助容器の開口のフランジの係合部を前記ガラス容器の開口を覆う蓋体の外周部に係合させて組合わせたことを特徴とする飲料セット。
【請求項５】
前記アルコール飲料が日本酒であることを特徴とする請求項４に記載の飲料セット。
【請求項６】
前記補助容器が前記蓋体のダストカバーを兼ねることを特徴とする請求項４に記載の飲料セット。
【請求項７】
紙または合成樹脂製の簡易容器に液体飲料を注入するとともに、つまみをカップ状の補助容器内に充填し、前記補助容器の開口のフランジの係合部を前記簡易容器の開口の周縁部に係合させて組合わせたことを特徴とする飲料セット。
【請求項８】
補助容器の開口の周縁部にフランジが設けられ、該フランジの外周部に周壁が形成され、該周壁の内周面であってその高さ方向の中間部に係合用リブが形成されることを特徴とする請求項１〜請求項７の何れかに記載の飲料セット。
【請求項９】
前記係合用リブが周方向の所定の位置で間欠的に欠如され、これによって前記係合用リブが半径方向に変形可能であることを特徴とする請求項８に記載の飲料セット。
【考案の詳細な説明】
【技術分野】
【０００１】
本考案は飲料セットに係り、とくに液体飲料とともに固形の食物を組合わせて供給できるようにした飲料セットに関する。
【背景技術】
【０００２】
長距離列車で移動したり旅行したりする際に、列車に乗る前に鉄道の駅の売店等で缶ビールを購入し、この缶ビールを列車の中で飲むことが多い。ビールやその他のアルコール飲料は、とくに退屈な列車内での時間をくつろぐのに好適である。
【０００３】
列車内で缶ビールを飲む場合に、通常は缶ビールを購入する際に同時に柿の種、ピーナッツ、するめ等のつまみ類を購入し、列車内でこれらのつまみを食べながらビールを飲むことになる。カップ酒のような日本酒の場合には、さらに別のつまみ類を購入こともある。
【０００４】
ところが列車内において缶ビールやカップ酒等を飲む際に購入するつまみは、必ずしも缶ビールの量やカップ酒の量と適正に対応していないことが多く、つまみ類を残すことが多い。従ってアルコール飲料とつまみとを別々に買求める不便さがあり、このようなつまみが捨てられると無駄になるばかりか、必要以上のつまみを購入するために、無駄な出費を強いられることになる。
【考案の開示】
【考案が解決しようとする課題】
【０００５】
本願考案の課題は、つまみ類のような固形の食物を別途購入する必要がないようにした飲料セットを提供することである。
【０００６】
本願考案の別の課題は、つまみ等の固形物を余分に購入して残った固形物を廃棄することがないようにした飲料セットを提供することである。
【０００７】
本願考案の別の課題は、つまみ等の固形物を液体飲料の量と対応する量よりも余分に購入することによる無駄な出費を抑えるようにした飲料セットを提供することである。
【０００８】
本願考案のさらに別の課題は、ビールや日本酒等のアルコール飲料につまみ等の固形食物を組合わせて提供できるようにした飲料セットを提供することである。
【０００９】
本願のさらに別の課題は、つまみ等の固形物を充填した補助容器が飲料を充填した主容器に確実に係合されて結合されるようにした飲料セットを提供することである。
【００１０】
本願考案のさらに別の課題は、以下に述べる本願考案の技術思想および実施の形態によって明らかにされよう。
【課題を解決するための手段】
【００１１】
本願の主要な考案は、主容器内に液体飲料を注入または充填するとともに、固形の食物を補助容器内に充填し、
前記補助容器に設けられた係合部を前記主容器の上部であって肩部または開口縁部に係合させて組合わせるようにしたことを特徴とする飲料セットに関するものである。
【００１２】
本願の別の主要な考案は、缶容器内にビールを充填するとともに、つまみ類をカップ状の補助容器内に充填し、前記補助容器の開口のフランジの係合部を前記缶容器の巻締めリブに係合させて組合わせたことを特徴とする飲料セットに関するものである。
【００１３】
本願の別の主要な考案は、缶容器内にチューハイを充填するとともに、つまみ類をカップ状の補助容器内に充填し、前記補助容器の開口のフランジの係合部を前記缶容器の巻締めリブに係合させて組合わせたことを特徴とする飲料セットに関するものである。
【００１４】
本願のさらに別の主要な考案は、広口のガラス容器内にアルコール飲料を充填するとともに、つまみ類をカップ状の補助容器内に充填し、前記補助容器の開口のフランジの係合部を前記ガラス容器の開口を覆う蓋体の外周部に係合させて組合わせたことを特徴とする飲料セットに関するものである。
【００１５】
ここで前記アルコール飲料が日本酒であってよい。また前記補助容器が前記蓋体のダストカバーを兼ねてよい。
【００１６】
本願のさらに別の主要な考案は、紙または合成樹脂製の簡易容器に液体飲料を注入するとともに、つまみをカップ状の補助容器内に充填し、前記補助容器の開口のフランジの係合部を前記簡易容器の開口の周縁部に係合させて組合わせたことを特徴とする飲料セットに関するものである。
【００１７】
ここで補助容器の開口の周縁部にフランジが設けられ、該フランジの外周部に周壁が形成され、該周壁の内周面であってその高さ方向の中間部に係合用リブが形成されてよい。また前記係合用リブが周方向の所定の位置で間欠的に欠如され、これによって前記係合用リブが半径方向に変形可能であってよい。
【考案の効果】
【００１８】
本願の主要な考案は、主容器内に液体飲料を注入または充填するとともに、固形の食物を補助容器内に充填し、補助容器に設けられた係合部を主容器の上部であって肩部または開口縁部に係合させて組合わせるようにしたものである。
【００１９】
従ってこのような飲料セットによれば、主容器に注入または充填された液体飲料と補助容器に充填された固形の食物等を同時に提供することができる。しかも固形の食物を充填した補助容器がその係合部によって主容器の肩部または開口縁部に係合されて組合わされているために、両者をセットして提供できるようになる。
【００２０】
本願の別の考案は、缶容器内にビールを充填するとともに、つまみ類をカップ状の補助容器内に充填し、補助容器の開口のフランジの係合部を缶容器の巻締めリブに係合させて組合わせたものである。
【００２１】
従ってこのような飲料セットによれば、缶容器内に充填されたビールと、このビールを充填した缶容器の巻締めリブに係合させて組合わせた補助容器内のつまみ類とを同時に提供することが可能になる。
【００２２】
本願のさらに別の考案は、缶容器内にチューハイを充填するとともに、つまみ類をカップ状の補助容器内に充填し、補助容器の開口のフランジの係合部を缶容器の巻締めリブに係合させて組合わせたものである。
【００２３】
従ってこのような飲料セットによれば、缶容器内に充填されたチューハイと、補助容器内に充填されたつまみ類とを同時に提供することができる。しかも補助容器の開口のフランジの係合部を缶容器の巻締めリブに係合させて組合わせているために、補助容器を缶容器に組合わせた状態でセットとして供給できる。
【００２４】
本願のさらに別の考案は、広口のガラス容器内にアルコール飲料を充填するとともに、つまみ類をカップ状の補助容器内に充填し、補助容器の開口のフランジの係合部をガラス容器の開口を覆う蓋体の外周部に係合させて組合わせたものである。
【００２５】
従ってこのような飲料セットによれば、アルコール飲料をガラス容器内に充填し、つまみ類を補助容器内に充填し、補助容器の係合部をガラス容器の蓋体の外周部に係合させて組合わせることによって、アルコール飲料とつまみ類とを同時に供給することが可能になる。
【００２６】
本願のさらに別の主要な考案は、紙または合成樹脂製の簡易容器に液体飲料を注入するとともに、つまみをカップ状の補助容器内に充填し、補助容器の開口のフランジの係合部を簡易容器の開口の周縁部に係合させて組合わせたものである。
【００２７】
従ってこのような飲料セットによれば、簡易容器内に注入された液体飲料と、補助容器に充填されたつまみとを、この補助容器の係合部を簡易容器の開口の周縁部に係合させてセットで提供することが可能になる。
【考案を実施するための最良の形態】
【００２８】
以下本願考案を図示の実施の形態によって説明する。まず第１の実施の形態を図１〜図４によって説明する。この実施の形態はビールまたはチューハイとつまみとから成る飲料セットに関するものである。ビールまたはチューハイは図１および図３に示すビール缶１０内に充填される。ビール缶１０は有底の胴部１１を備え、この胴部１１の上部開口を蓋板１２によって閉じた構造になっている。すなわち蓋板１２の外周側に一体に巻締め部１３が連設され、この巻締め部１３によって胴部１１の上端を加締めて閉じるようにしている。
【００２９】
上記蓋板１２の上面には長円形の切断誘導部１４が形成されるとともに、この切断誘導部１４の内側の一部と連結されるようにプルタブ１５が取付けられる。すなわちプルタブ１５は切断誘導部１４の内側の部分とリベット１６によって結合されるようになっている。プルタブ１５を持上げるように引張って切断誘導部１４を切断すると、注出口１７が図４に示すように形成される。
【００３０】
これに対してつまみ２０は補助容器２１内に充填されるようになっている。補助容器２１はポリエチレンテレフタレートの成形容器から構成され、その胴の部分がテーパ状をなし、開口側の部分の方が直径が大きくなっている。そしてこの補助容器２１の開口の周縁部にはとくに図２Ａおよび図２Ｂに示すようにフランジ２２が形成されるとともに、このフランジ２２と接合されるように蓋材２３が取付けられる。なお蓋材２３としては合成樹脂フィルムあるいはアルミニウムシートが用いられる。そして蓋材２３の所定の位置に突片２４が連設され、この突片２４を引張ると、蓋材２３がフランジ２２から剥離するようになっている（図４参照）。
【００３１】
上記補助容器２１の開口の周縁部のフランジ２２には、図２Ａおよび図２Ｂに示すように円周方向に沿って周壁部２７が形成されるとともに、この周壁部２７にはその内周面に内側に突出するように係合用リブ２８が形成される。そしてこの係合用リブ２８はその円周方向の所定の位置で、図２Ａに示すように円周方向に例えば４５度間隔で欠如された欠如部２９が形成されている。このような欠如部２９を４５度間隔で設けることによって、係合用リブ２８が半径方向に移動可能であって、これによって係合用リブ２８を上記ビール缶１０の巻締め部１３に弾性的に係合させることが可能になる。
【００３２】
次に以上のような構成になる飲料セットについて説明する。図１および図３に示すようにビールはビール缶１０内に充填された状態で、またつまみ２０は補助容器２１に充填された状態で、この補助容器２１がビール缶１０に組合わされる。すなわち図１および図３に示すように、補助容器２１のフランジ２２の外周側の周壁部２７がビール缶１０の巻締め部１３と嵌合される。このときに周壁部２７の内周側に突出するように形成されている係合用リブ２８が巻締め部１３に弾性的に係合される。従ってビールを充填したビール缶１０につまみ２０を充填した補助容器２１を組合わせて一緒に供給することが可能になる。
【００３３】
従って列車で移動する場合や旅行する場合には、乗車する際に駅の売店で、あるいは車内において車内販売で、つまみ２０が補助容器２１に充填されてビール缶１０に組合わされたビールを購入する。そして図４に示すように、まず補助容器２１をビール缶１０から取外す。そして上記補助容器２１の蓋材２３を突片２４を引張って開封する。これによって補助容器２１内のつまみ２０を取出して食べることが可能になる。
【００３４】
また缶ビールについては、蓋板１２のプルタブ１５を引張って切断誘導部１４のところで蓋板１２を部分的に切断し、注出口１７を形成する。従ってこの注出口１７からビールを注出して飲むことが可能になる。
【００３５】
このような飲料セットによれば、缶ビールや缶チューハイを購入する際にこの缶ビールの量と相応する量のつまみ２０が充填された補助容器２１がビール缶１０に組合わされた状態でセットで提供できるようになる。すなわち缶ビールまたは缶チューハイとつまみとを一緒に組合わせて提供できるために、缶ビールまたは缶チューハイとつまみとを別々に購入する必要がなくなる。またつまみを余分に購入し、余ったつまみを捨てる不経済を防止できるとともに、余分につまみを購入することによる無駄な出費が防止される。なお補助容器２１内には各種のつまみを別々に充填しておき、これらをビール缶１０と組合わせ、提供する際に購入者が好みに応じて選択できるようにすればよい。あるいはまた補助容器２１内に複数種類のつまみ２０を充填しておくことも可能である。
【００３６】
次に別の実施の形態を図５および図６によって説明する。この実施の形態は日本酒３４とつまみ２０とを一緒に供給するようにした飲料セットに関する。日本酒３４は図５および図６に示すように広口であってほぼストレートな胴部を有するガラス容器３５に充填される。そしてこのガラス容器３５の広口の開口３６を蓋体３７によって閉じる。蓋体３７はその内側にシール材を備え、アルミニウム製であって、外周側の部分を加締めて上記ガラス容器３５の開口３６の周縁部に係合させるようにしている。そして蓋体３７の外周側の一部にプルタブ３８が形成され、このプルタブ３８を引張ると蓋体３７の一部が破断されて開封されるようになっている。
【００３７】
これに対してつまみ２０は第１の実施の形態と同様の補助容器２１内に充填される。なお補助容器２１は上記ガラス容器３５の蓋体３７のダストカバーを兼ねている。そしてこの補助容器２１の外周側のフランジ２２の周壁部２７を上記ガラス容器３５の蓋体３７の外周部に図６に示すように係合させるようにしている。なお周壁部２７の係合用リブ２８および欠如部２９の構成は上記第１の実施の形態と同様である。
【００３８】
従ってこのような構成によれば、ガラス容器３５内に充填されている日本酒３４を飲む場合には、まずこのガラス容器３５の蓋体３７上のダストカバーを兼ねる補助容器２１を取外す。そしてこの補助容器２１の蓋材２３を突片２４を引張って開封する。これによってつまみ２０を食べることが可能になる。また同時にガラス容器３５の蓋体３７をプルタブ３８を引張ってその根元側の部分を破断することにより開封できる。従ってガラス容器３５内の日本酒３４を飲みながら補助容器２１内のつまみ２０を食べることが可能になる。
【００３９】
従ってこのような構成によれば、日本酒３４とつまみ２０とを組合わせてセットとして供給できるようになり、日本酒３４とつまみ２０とを別々に購入する必要がなくなる。従って余分なつまみを購入し、余ったつまみを捨てる無駄がなくなる。また必要以上に多量のつまみを購入する経済的な不利益が解消される。
【００４０】
次にさらに別の実施の形態を図７によって説明する。この実施の形態は紙製あるいは合成樹脂製の簡易容器４３によってビール４６を注入して販売する場合における飲料セットに関するものである。すなわち例えば野球場において野球のゲームを観戦しながらビールを飲む場合に、売店で簡易容器４３に注入されたビールを購入する。このときに補助容器２１内につまみ２０を充填しておき、この補助容器２１を上記簡易容器４３の開口４４の周縁部のリブ４５に係合させた状態で補助容器２１を簡易容器４３に組合わせる。なおこの組合わせ動作は、簡易容器４３にビール４６を注入した後に行なう。そしてその状態で販売店の販売員が顧客に対してビールをつまみ２０とともにセットで供給することになる。
【００４１】
従って野球のゲームを観戦しながら簡易容器４３内のビール４６を飲むとともに、このときにポテトチップ、フライドポテト、その他各種のつまみ２０を補助容器２１から取出して食べることができる。
【００４２】
ここでもつまみ２０の量は上記簡易容器４３に注入されたビール４６の量とほぼ相応する量が充填されているために、余分なつまみ２０を購入して余ったつまみを捨てることがなくなる。また余分なつまみを購入することによる出費が抑えられる。なおこの実施の形態においてはビール４６を簡易容器４３に注入した後につまみ２０が入った補助容器２１を組合わせるようにしているために、顧客に希望するつまみの種類を選択させ、選択された好みのつまみ２０が入った補助容器２１をこの簡易容器４３と組合わせて販売することができ、顧客のニーズに即座に対応できるようになる。
【００４３】
以上本願考案を図示の実施の形態によって説明したが、本願考案は上記実施の形態によって限定されることなく、本願考案の技術思想の範囲内で各種の変更が可能である。例えば上記実施の形態におけるビール缶１０や日本酒３４が入ったガラス容器３５の形状、あるいはビールを注入する簡易容器４３の形状、さらにはつまみ２０を充填する補助容器２１の形状や容量については、各種の変更が可能である。また本願考案はビール、チューハイ、日本酒等のアルコール飲料の供給に好適であるが、その他のアルコール飲料や清涼飲料の供給にも適用可能である。
【産業上の利用可能性】
【００４４】
本願考案は各種のアルコール飲料や清涼飲料の供給に広く適用可能である。
【図面の簡単な説明】
【００４５】
【図１】第１の実施の形態の飲料セットの分解斜視図である。
【図２】補助容器の要部平面図およびＢ〜Ｂ線断面図である。
【図３】飲料セットの縦断面図である。
【図４】開封して飲む状態を示す要部斜視図である。
【図５】第２の実施の形態の飲料セットの要部分解斜視図である。
【図６】同飲料セットの縦断面図である。
【図７】第３の実施の形態の飲料セットの要部分解斜視図である。
【符号の説明】
【００４６】
１０  ビール缶
１１  胴部
１２  蓋板
１３  巻締め部
１４  切断誘導部
１５  プルタブ
１６  リベット
１７  注出口
２０  つまみ
２１  補助容器
２２  フランジ
２３  蓋材
２４  突片
２７  周壁部
２８  係合用リブ
２９  欠如部
３４  日本酒
３５  ガラス容器
３６  広口の開口
３７  蓋体
３８  プルタブ
４３  簡易容器
４４  開口
４５  リブ
４６  ビール
【図１】
0003102518.tif 000003
【図２】
0003102518.tif 000004
【図３】
0003102518.tif 000005
【図４】
0003102518.tif 000006
【図５】
0003102518.tif 000007
【図６】
0003102518.tif 000008
【図７】
0003102518.tif 000009